(57)【要約】【課題】遊技盤に基板ユニットを付設することができることは勿論、遊技盤に対する基板ユニットの正規の脱着はできても不正に脱着することを防止することのできるパチンコ機を提供すること。【解決手段】遊技を制御する基板等の各種基板を収納して封止した基板ユニット３０を、本体枠に組み付けられる遊技盤２０の裏面に取り付けたパチンコ機において、基板ユニット３０に遊技盤２０の裏面側に突出する突出部４０を設けるとともに、遊技盤２０にその表裏に貫通する取付部を形成し、この取付部に突出部４０を挿入して連結するとともに、この突出部４０の先端４１を本体枠のカバー部分で覆うようにしたこと。【選択図】図６
2008119039.tif 000002
【特許請求の範囲】
【請求項１】
遊技を制御する基板等の各種基板を収容して封止した基板ユニットを、本体枠に組み付けられる遊技盤の裏面に取り付けたパチンコ機において、
前記基板ユニットに前記遊技盤の裏面側に突出する突出部を設けるとともに、前記遊技盤にその表裏に貫通する取付部を形成し、
この取付部に前記突出部を挿入して連結するとともに、この突出部の先端を前記本体枠のカバー部分で覆うようにしたことを特徴とするパチンコ機。
【発明の詳細な説明】
【技術分野】
【０００１】
本発明は、パチンコ機の構造に関し、特に、当該パチンコ機を制御する制御基板や変動表示手段のための基板等、各種基板を収容した基板ユニットを有するパチンコ機に関するものである。
【背景技術】
【０００２】
パチンコ機における基板ユニットは、当該パチンコ機を制御する基板（例えば大当たり抽選を制御する主制御基板や図柄等の変動表示を行う表示制御基板等の各種基板）を収容したものであるから、非常に重要なものであり、中の基板等を簡単に変更できるようなものであってはならない。このため、この種の基板ユニットには、これに収容された基板を取り出した場合にその痕跡が残るように封止する処理が行われている。
【０００３】
また、この種の基板ユニットは、パチンコ機から容易に取り外すことができないものであることが望ましい。しかし、これとは逆に、この基板ユニットを取り外して基板に搭載された電子部品のチェック等を行うこともあり、パチンコホール（パチンコ店）経営者等による正規の取り外しができるようになっていなければならない。
【０００４】
換言すれば、この種の基板ユニットについては、パチンコ機に対して正規な脱着が行えるようにしておき、かつ、不正な脱着（所謂ゴト行為）に対しては防止できるようになっていなければならず、言わば相反することを満足させなければならない。
【０００５】
また、パチンコ機は、パチンコホール（パチンコ店）に設置してあって、パチンコ機を構成している複数の枠体（所謂「島」に取り付けられる「外枠」、遊技盤が取り付けられる「本体枠」遊技盤の前面側を覆う「ガラス枠」等がある）の内の１つである本体枠に対して、図１あるいは図３に示すような「遊技盤」及び「基板ユニット」等を異なる種類のものに交換することにより異なる種類のパチンコ機として使用されるものであるが、「遊技盤」に対して「基板ユニット」を付設した構造とすることによって、パチンコ機に対する着脱作業をそれぞれ別個に行う必要をなくして、作業性を向上するようにしてある。
【０００６】
つまり、パチンコ機の変更について、「基板ユニット」など交換の必要な部品を、同じく交換が必要な遊技盤に対して集約して配置することにより、作業性を向上させているのである。また、これを支持している本体枠、ガラス板、及びこれら以外の球供給装置等をそのまま流用することが行われているし、そのように変更できるようにすることも要求されているのである。
【０００７】
このようなパチンコ機の従来技術としては、例えば特許文献１に示されているようなものがある。
【特許文献１】特開２００４−３３６０３号公報、図７、段落００１１
【発明の開示】
【発明が解決しようとする課題】
【０００８】
特許文献１に示された「遊技機」は、「基板ケースを不正に交換しようと企む者がその不正行為（上述したゴト行為）を行いにくくすることのできる遊技機を提供すること」を目的としてなされたもので、図１２に示すように、「遊技盤５の背面には機構盤が配置されている。この機構盤と一部重複するように基板取り付け用パネル１０が遊技盤５の背面に配置されている。基板取り付け用パネル１０の前面には基板ケース５３が配設され基板ケース５３から同パネル１０を挿通するロックピン５５によって同パネル１０にロック状態で接続されている」ものである。
【０００９】
従って、この特許文献１に示された「遊技機」によると、「ロックピン５５のつまみ部５７はパネル１０の後面側に配置されて基板ケース５３前面側からは操作することはできない。そのため、同パネル１０をセットした状態では基板ケース５３を取り外すことはできない。更に同パネル１０の開放にあたって機構盤が邪魔となる」といった作用あるいは効果が得られるものと考えられる。
【００１０】
しかしながら、この特許文献１の技術では、その図７及び段落００１１にある通り、基板取り付け用パネル１０の掛止ピン６４を遊技盤側の軸受け金具６５に対して係合させるようにしてあり、この部分に関しては不正対策が何らされていないものであるから、基板ユニット（主基板ケース５３及び基板取り付け用パネル１０）全体を全く別のものに簡単に変更できてしまう可能性があり、「ゴト行為防止」が十分なされているとは言い難い部分があった。
【００１１】
そこで、本発明者等は、「遊技盤」に「基板ユニット」を付設することに加え、「遊技盤」に対する「基板ユニット」の正規の脱着はできても不正に脱着することを防止するにはどうしたらよいか、について種々検討を重ねてきた結果、本発明を完成したのである。
【００１２】
すなわち、本発明の目的とするところは、「遊技盤」に「基板ユニット」を付設することができることは勿論、「遊技盤」に対する「基板ユニット」の正規の脱着はできても不正に脱着することを防止することのできるパチンコ機を提供することにある。
【課題を解決するための手段】
【００１３】
以上の課題を解決するために、本発明の採った手段は、後述する最良形態の説明中で使用する符号を付して説明すると、
「遊技を制御する基板等の各種基板３３を収納して封止した基板ユニット３０を、本体枠１０に組み付けられる遊技盤２０の裏面に取り付けたパチンコ機１００において、
基板ユニット３０に遊技盤２０の裏面側に突出する突出部４０を設けるとともに、遊技盤２０にその表裏に貫通する取付部２１を形成し、
この取付部２１に突出部４０を挿入して連結するとともに、この突出部４０の先端４１を本体枠１０のカバー部分１１で覆うようにしたことを特徴とするパチンコ機１００」
である。
【００１４】
すなわち、本発明に係る連結構造を採用したパチンコ機１００は、例えば図５に示すように、制御基板等の各種基板３３を収容して封止した基板ユニット３０を、図１または図４に示すように、本体枠１０に組み付けられる遊技盤２０の裏面に取り付けたものであり、遊技盤２０に基板ユニット３０を付設することができることは勿論、遊技盤２０に対する基板ユニット３０の正規の脱着はできても、不正に脱着することを防止したものである。
【００１５】
また、このパチンコ機１００においては、図１及び図２の第１実施例あるいは図３〜図１１の第２実施例にて例示しているように、基板ユニット３０に遊技盤２０の裏面側に先端４１が突出する突出部４０を設け、あるいは取り付けて、この突出部４０の先端４１を遊技盤２０に形成した取付部２１に挿入して連結するとともに、この先端４１を本体枠１０のカバー部分１１で覆うようにしたから、基板ユニット３０の取り外しが非常に困難になっていて、ゴト行為を行いにくくしている。
【００１６】
何故なら、この基板ユニット３０を取り外そうとすると、この基板ユニット３０から遊技盤２０の裏面側に突出している突出部４０の先端４１の遊技盤２０に対する連結を解除しなければならず、この先端４１の遊技盤２０に対する連結解除を行おうとすれば、これを覆っている本体枠１０側のカバー部分１１を外さなければならない。つまり、このパチンコ機１００においては、基板ユニット３０を取り外すには非常に時間が掛かるものとなっているのであり、ゴト行為を困難にしているのである。
【００１７】
この種のパチンコ機１００が多数設置してあるパチンコホールにおいては、ゴト行為防止のための種々な警報装置が設置してあり、ホール内に異常があれば、警備会社や警察に直ぐ通報できるようになっている。つまり、ホール入り口の鍵が壊されたり、人が居ないはずの店内に人の動きがあってこれが検知されると、自動的に警察等に通報できるようにしてある。
【００１８】
そのような警備が発達している近年のパチンコホールで行われる「ゴト行為」は、警察官や警備員が到着するまでの短時間内で完了しなければならないが、本発明の連結構造に係るパチンコ機１００では、基板ユニット３０を取り外すには非常に時間が掛かるものとなっているため、ゴト行為が非常に困難になっているのである。つまり、本発明に係る連結構造は、例えば、３分以内にドアロックを解除できなかったピッキング実行者は逃げ出してしまうことを利用した、一般家屋におけるピッキング防止策のような作用を発揮するものである。
【００１９】
特に、図２の（ａ）に示した第１実施例の別例のように、各突出部４０の先端４１に係止突起４３を形成しておいて、この係止突起４３が遊技盤２０側の取付部２１に設けた段部２１ａに係合するようにしておけば、突出部４０が遊技盤２０から簡単には外れない。従って、このようにした場合には、ゴト行為を行うための時間がより一層掛かることになり、ゴト行為防止が確実になされることになる。勿論、検査時等のように当該基板ユニット３０を外さなければならないときには、図２の（ｂ）に示すように、テーパ部８１を有する解除用具８０を遊技盤２０の取付部２１内に押し込めば、解除用具８０のテーパ部８１が突出部４０の係止突起４３を段部２１ａから外す方向に作用するから、簡単に外すことができる。
【００２０】
このことは、第２実施例においても同様である。すなわち、図６に示すように、基板ユニット３０を遊技盤２０に連結している突出部４０の先端４１を、後述する連結部材６０によって連結するようにすれば、この突出部４０の遊技盤２０からの取り外しは非常に困難になる。何故なら、この連結部材６０の連結解除を行おうとすれば、図９に示すような解除用具８０が必要だからである。勿論、基板ユニット３０を外さなければならない人は、この解除用具８０を有するから、検査時等の基板ユニット３０の取り外しは問題なく行える。
【００２１】
そして、上記第１実施例に係るパチンコ機１００も、第２実施例に係るパチンコ機１００も、基板ユニット３０は遊技盤２０に突出部４０によって一体化してあるから、この基板ユニット３０は遊技盤２０とともに外すことができる。換言すれば、遊技内容の異なる別の遊技盤２０、及びこの遊技盤２０に適した基板ユニット３０をそっくりそのまま交換できることになり、以前から使用していた本体枠１０はそのまま利用することができるのである。
【００２２】
従って、本発明に係るパチンコ機１００は、遊技盤２０に基板ユニット３０を付設することができることは勿論、遊技盤２０に対する基板ユニット３０の正規の脱着はできても不正に脱着することを防止することができるものとなっているのである。
【発明の効果】
【００２３】
以上の通り、本発明に係る連結構造を採用したパチンコ機１００においては、
「遊技を制御する基板等の各種基板３３を収納して封止した基板ユニット３０を、本体枠１０に組み付けられる遊技盤２０の裏面に取り付けたパチンコ機１００において、
基板ユニット３０に遊技盤２０の裏面側に突出する突出部４０を設けるとともに、遊技盤２０にその表裏に貫通する取付部２１を形成し、
この取付部２１に突出部４０を挿入して連結するとともに、この突出部４０の先端部４１を本体枠１０のカバー部分１１で覆うようにしたこと」
に、その構成上の特徴があり、これにより、遊技盤２０に基板ユニット３０を付設することができることは勿論、遊技盤２０に対する基板ユニット３０の正規の脱着はできても不正に脱着することを防止することができるのである。
【発明を実施するための最良の形態】
【００２４】
以上のように構成した本発明を、図面に示した最良の形態であるパチンコ機１００について説明するが、この最良形態のパチンコ機１００は、図１及び図２に示した第１実施例と、図３〜図１１に示した第２実施例とがあるので、以下では各実施例毎に説明していくこととする。
【００２５】
（第１実施例）
図１及び図２には、本発明の痔１実施例に係るパチンコ機１００が示してあるが、このパチンコ機１００は、図１にも示したように、制御基板等の各種基板３３を収容して封止した基板ユニット３０を、本体枠１０に組み付けられる遊技盤２０の裏面に取り付けたものである。
【００２６】
また、この第１実施例に係るパチンコ機１００は、主として図１に示したように、基板ユニット３０に遊技盤２０の裏面側に突出する突出部４０を設けて、例えば図２に示したように、この突出部４０を遊技盤２０に形成した取付部２１に挿入して連結するとともに、図１に示したように、この突出部４０の先端４１を本体枠１０のカバー部分１１で覆うようにしたものである。
【００２７】
本体枠１０は、図１に概略的に示したように、図３及び図４に示したような遊技盤２０を支持するものである。パチンコ機１００を構成している枠体としては、所謂「島」に取り付けられる「外枠」、遊技盤が取り付けられる「本体枠」、遊技盤の前面側を覆う「ガラス枠」等複数あるが、ここで言っている本体枠１０は、遊技盤２０が取り付けられるものである。そして、この本体枠１０は、これに取り付けられた遊技盤２０の前面側の、例えば４隅に位置することになる部分に飾り枠が一体化されるものであり、これらの飾り枠の一部が、図１中の仮想線にて示したようなカバー部分１１となるものである。
【００２８】
このカバー部分１１は、後述する突出部４０の先端４１を覆うことになるものであり、遊技盤２０を本体枠１０から外さない限り、突出部４０の先端４１を露出させることができないようにするものである。なお、この本体枠１０の前面側には、遊技盤２０の前面との間に遊技空間を形成するためのガラス板１２が取り付けられる。
【００２９】
遊技盤２０の前面は、例えば図３に示したように、多数の釘が打ち込まれてパチンコ球が複雑に落下することになる遊技空間を形成することになるものであり、その中央には種々な変動表示装置が取り付けられるものである。そして、この遊技盤２０の、例えば右下部分に貫通孔または切り欠きからなる取付部２１が形成してあり、この取付部２１には、後述する突出部４０の先端４１が挿入されるものである。
【００３０】
この貫通孔または切り欠きからなる取付部２１は、単純にストレートなものであってもよいが、図２にも示したように、内部に段部２１ａが存在するものとして構成して実施してもよい。すなわち、図２の（ａ）に示したように、各突出部４０の先端４１に係止突起４３を形成しておいて、この係止突起４３が遊技盤２０側の取付部２１の段部２１ａに係合するようにしておけば、突出部４０が遊技盤２０から簡単には外れないのである。
【００３１】
つまり、取付部２１の内部に段部２１ａを存在させて、上カバー３１の段部２１ａに突出部４０の係止突起４３が係合するようにしておけば、突出部４０の先端４１を遊技盤２０側の取付部２１内にて曲げない限り、基板ユニット３０を遊技盤２０から外せないから、ゴト行為を行うための時間がより一層掛かることになり、ゴト行為防止が確実になされることになる。勿論、検査時等のように当該基板ユニット３０を外さなければならないときには、図２の（ｂ）に示したように、テーパ部８１を有する後述する解除用具８０を遊技盤２０の取付部２１内に押し込むこめば、解除用具８０のテーパ部８１が突出部４０の係止突起４３を段部２１ａから外す方向に作用するから、簡単に外すことができる。
【００３２】
基板ユニット３０は、例えば図４及び図５に示すように、上カバー３１と下カバー３２とからなり、上カバー３１は下カバー３２に対して横方向にスライドさせない限り開放できないものである。なお、これらの上カバー３１と下カバー３２との閉止位置での連結は、公知の連結材を使用してなされるものであり、無理に開けた場合にはその痕跡が残るようにしてある。勿論、当該基板ユニット３０内には基板３３が収容されるものであり、その検査時には、上記連結材を破壊して上カバー３１と下カバー３２とが開放されるものである。
【００３３】
突出部４０は、図１及び図２に示したように、基板ユニット３０を構成している下カバー３２の下面に一体的に形成してあり、本最良形態では、この突出部４０の先端４１に係止突起４３が形成してある。この係止突起４３は、上述した遊技盤２０に形成した取付部２１内の段部２１ａに係合することになるものであり、その係合は突出部４０を取付部２１内で曲げない限り解くことができないものである。
【００３４】
本最良形態では、この突出部４０側に形成してある係止突起４３と、取付部２１側の段部２１ａとの係合は、例えば図９に示したようなテーパ部８１を有する解除用具８０を使用して行う。つまり、検査時等のように当該基板ユニット３０を外さなければならないときには、図２の（ｂ）中の矢印にて示したように、テーパ部８１を有する解除用具８０を遊技盤２０の取付部２１内に押し込むこめば、解除用具８０のテーパ部８１が突出部４０の係止突起４３を段部２１ａから外す方向に作用するから、簡単に外すことができるのである。
【００３５】
また、この突出部４０の先端４１は、これが遊技盤２０側の取付部２１内に挿入されて固定されて、パチンコ機１００として完成されたとき、この突出部４０の先端４１には、図１に示したように、本体枠１０側のカバー部分１１によって覆われることになり、その存在すら外からは見えない状態となる。しかも、各突出部４０は、図１及び図２に示したように、遊技盤２０の裏面側に突出するものであり、基板ユニット３０は遊技盤２０に対して近接した状態で取り付けられるから、その存在自体も容易には分からないものとなっている。従って、基板ユニット３０を遊技盤２０に連結するための突出部４０の存在が明確でない以上、これを外して基板ユニット３０に不正行為をなすことは不可能になっているのである。
【００３６】
（第２実施例）
図３〜図１１には、本発明に係る連結構造の他の例が示してあるが、この第２実施例においても、上記第１実施例にて採用した本体枠１０、遊技盤２０、及び基板ユニット３０を使用しているので、これらの部材の詳細は省略する。しかしながら、突出部４０及びこれを固定するための留め具５０や連結部材６０については、上述した第１実施例中には詳述していない部分もあるから、以下では、これらの詳細を中心に説明していくこととする。
【００３７】
この第２実施例における各突出部４０は、図６に示したように、基板ユニット３０の一部に形成した連結穴内に挿通されて、各頸部４４にて留め具５０内に連結される２本の棒状のものからなり、基板ケース３０とは別体に形成したものである。また、この突出部４０の先端４１は、遊技盤２０の貫通穴内に挿通されて取付部２１を構成する連結部材６０、この連結部材６０内に収容した爪７０、及び解除用具８０によって、遊技盤２０に連結されるものである。勿論、各突出部４０の頸部４４までの部分は、図６に示したように、連結部４２となっており、この連結部４２にて曲がることにより、各頸部４４での留め具５０による連結が簡単に行えるようにしてある。
【００３８】
２本の突出部４０は、図６にて示したように、留め具５０によって互いに連結されるものであるが、この留め具５０は、図１０に示したようなものである。すなわち、この留め具５０は、合成樹脂によって半円筒状に成形した各半身５０ａ・５０ｂをヒンジ５１によって連結しておいて、これら各半身５０ａ・５０ｂを折り畳むことにより、図１０の（ｃ）にて示したような円筒状のものとされるものである。
【００３９】
勿論、各半身５０ａ・５０ｂには、図１０の（ａ）にて示したように、突出部４０側の頸部４４が挿入される一対の頸部収納溝５２が形成してあり、また、各半身５０ａ・５０ｂの周辺には、図１０の（ｂ）にても示したような連結突起５３、この連結突起５３が嵌合される連結穴５４が形成してあって、これらの連結突起５３が連結穴５４内に嵌合されたとき、図１０の（ｃ）にても示したように、円筒状のものとされる。
【００４０】
この円筒状になった、つまり２本の突出部４０の頸部４４を互いに連結している留め具５０は、各連結突起５３の連結穴５４に対する嵌合を外せば、２本の突出部４０の頸部４４を開放することになるから、図１１にも示したように、各突出部４０は回転し得るものとなる。従って、各突出部４０によって遊技盤２０側に連結されていた基板ユニット３０は、図１１に示したように、突出部４０の長さの範囲内で、遊技盤２０の裏面から自由に引き離すことができるものとなる。そこで、基板ユニット３０を構成している前述した上カバー３１を下カバー３２に対して開くことが簡単に行えることになり、当該基板ユニット３０内に収容した基板３３の検査を簡単に実施できることになるのである。
【００４１】
また、各突出部４０の先端４１については、図６及び図７に示したように、多数の係止突起４３が形成してあり、これらの係止突起４３には、後述する爪７０の爪部７２が係合するものである。また、２本の突出部４０は、その各先端４１を遊技盤２０側の取付部２１に、連結部材６０によって連結してあったが、この連結部材６０内には、図７にも示すように、爪７０や解除用具８０が挿入してあった。この最良形態における連結部材６０は、図６及び図７に示したように、遊技盤２０の取付部２１内に挿入される筒部６１を有しており、この筒部６１の遊技盤２０側になる、図７の（ｂ）に示したようなフランジ基部６２によって取付部２１に対する抜け止めがなされる。
【００４２】
この筒部６１内には、図７に示したように、後述する爪７０や解除用具８０のための挿入口６３が形成してあり、この挿入口６３の遊技盤２０とは反対側になる端部は突出部４０の先端４１が通せる程度の細い穴を有した部分としてある。また、この筒部６１内に形成した挿入口６３の周囲には、図７の（ｂ）に示したように、複数の案内溝６４が形成してある。各案内溝６４内には、例えば解除用具８０の案内部８２が挿入されることになるものであり、これによって解除用具８０の位置が正しくなるようにされる。
【００４３】
爪７０は、図７に示したように、連結部材６０の筒部６１の内の端部に収容されるものであり、図８に示したように、基部７０ａから挿入溝７３を確保しながら遊技盤２０側に向けて突出することになる複数の弾性舌片７１を有しているものである。各弾性舌片７１の先端内側には、図８の（ａ）にも示したように、爪部７２が形成してあり、これら各爪部７２は、図７の（ｃ）に示したように、突出部４０の先端４１に形成してある各係止突起４３間に係合することになるものである。つまり、各爪部７２は、連結部材６０の筒部６１内に挿入された突出部４０の先端４１を、その挿入位置で固定するものである。これら各爪部７２による固定は、次の解除用具８０の侵入を待たなければならない。
【００４４】
また、各弾性舌片７１間に位置する挿入溝７３内には、図７の（ａ）にて示すように、解除用具８０の案内部８２が挿入されることになるものであり、これら各挿入溝７３は、解除用具８０の挿入を確実にするための案内を行うものである。
【００４５】
解除用具８０は、図７及び図９に示したように、基本的には突出部挿入穴８３を有する筒基部８０ａからなるものであり、この筒基部８０ａの外周には、連結部材６０側の筒部６１に形成してある案内溝６４内に挿入されることになる複数の案内部８２が形成してある。これら各案内部８２の先端には、テーパ部８１が形成してあり、このテーパ部８１は、当該解除用具８０が筒部６１の挿入口６３内に強制的に挿入されたとき、爪７０側の爪部７２を外側に押し広げるものである。
【００４６】
以上のような連結部材６０、爪７０、及び解除用具８０によれば、突出部４０の先端４１の、遊技盤２０の取付部２１に対する連結またはこの連結の解除を、次のように行う。まず、突出部４０の先端４１の、遊技盤２０の取付部２１に対する連結であるが、この連結状態は図７に示してある。つまり、この連結状態においては、爪７０の各弾性舌片７１が自然状態にあるから、その先端に形成してある各爪部７２は、突出部４０の先端４１に形成してある係止突起４３に係合した状態にある。つまり、連結部材６０の挿入口６３及び解除用具８０の突出部挿入穴８３内に挿入されている突出部４０の先端４１は、遊技盤２０の取付部２１に連結された状態にある。
【００４７】
これに対して、突出部４０の先端４１の、遊技盤２０の取付部２１に対する連結の解除は、連結部材６０の筒部６１内の挿入口６３に解除用具８０を強制的に挿入することによって実現される。つまり、解除用具８０を強制的に挿入すれば、解除用具８０の各案内部８２に形成してあるテーパ部８１によって、爪７０側の各爪部７２が外側に強制的に開放されるから、各爪部７２の、突出部４０の先端４１に形成してある係止突起４３への係合が解かれることになるのである。
【図面の簡単な説明】
【００４８】
【図１】本発明の第１実施例に係るパチンコ機における基板ユニットの連結構造を示す分解部分斜視図である。
【図２】同連結構造の、図１中の１−１線に沿った他の実施例を示すもので、（ａ）は連結状態の部分拡大断面図、（ｂ）は連結解除状態の部分拡大断面図である。
【図３】本発明の第２実施例において採用されている遊技盤の正面図である。
【図４】同遊技盤の背面側から見た斜視図である。
【図５】同遊技盤に取り付けられている基板ユニットの、上カバーを下カバーから引き出して基板を収容しようとしている状態を示す分解斜視図である。
【図６】図３に示した突出部を中心にして見た部分拡大縦断面図である。
【図７】図６に示した同突出部の連結構造を示すもので、（ａ）は部分拡大縦断面図、（ｂ）は遊技盤側から見た連結部材の正面図、（ｃ）は突出部の連結構造を示す部分拡大横断面図である。
【図８】図６に示した連結構造において使用される爪を示すもので、（ａ）は斜視図、（ｂ）は正面図、（ｃ）は側面図である。
【図９】図６に示した連結構造において使用される解除用具を示すもので、（ａ）は側面図、（ｂ）は正面図、（ｃ）は斜視図である。
【図１０】２本の突出部を連結するための留め具を示すもので、（ａ）は展開時の平面図、（ｂ）は展開時の正面図、（ｃ）は一体化時の正面図である。
【図１１】２本の突出部の連結を解除して、一本の突出部を回転させた状態の部分平面図である。
【図１２】従来の技術を示す斜視図である。
【図１３】図１２に示したものについて、その基板ユニットの取付状態を示す部分拡大平面図である。
【符号の説明】
【００４９】
１００    パチンコ機
１０    本体枠
１１    カバー部分
１２    ガラス板
２０    遊技盤
２１    取付部
３０    基板ユニット
３１    上カバー
３２    下カバー
３３    基板
４０    突出部
４１    先端
４２    連結部
４３    係止突起
４４    頸部
５０    留め具
５０ａ・５０ｂ  半身
５１    ヒンジ
５２    頸部収納溝
５３    連結突起
５４    連結穴
５５    挿入口
６０    連結部材
６１    筒部
６２    フランジ基部
６３    挿入口
６４    案内溝
７０    爪
７０ａ  基部
７１    弾性舌片
７２    爪部
７３    挿入溝
８０    解除用具
８０ａ  筒基部
８１    テーパ部
８２    案内部
８３    突出部挿入穴
【図１】
2008119039.tif 000003
【図２】
2008119039.tif 000004
【図３】
2008119039.tif 000005
【図４】
2008119039.tif 000006
【図５】
2008119039.tif 000007
【図６】
2008119039.tif 000008
【図７】
2008119039.tif 000009
【図８】
2008119039.tif 000010
【図９】
2008119039.tif 000011
【図１０】
2008119039.tif 000012
【図１１】
2008119039.tif 000013
【図１２】
2008119039.tif 000014
【図１３】
2008119039.tif 000015